(57)【特許請求の範囲】
【請求項１】
止水性調整欠損材と目地材本体とから構成され、止水性調整欠損材の一端面が目地材本体に嵌込み固定されている土木用止水コンクリートクラック誘発目地材において、
前記止水性調整欠損材は、水と反応することでゲル化してコンクリート構造物との密着性を保持し、止水性を有するベントナイトを素材として、横断面前後に長い方形の縦角棒状に構成された調整欠損材本体と、
前記調整欠損材本体の横断面前部を保持して、目地材本体に嵌め込み固定されている矩形状の枠と、矩形状の枠のうち調整欠損材本体の横断面前部に接する面と平行に配設され調整欠損材本体の横断面後部を保持する板と、この板と矩形状の枠を両端部に有してこの調整欠損材本体における左右の中心に当該調整欠損材本体の長手方向に配設された縦長の板とからなる保持材と
から構成される
ことを特徴とする土木用止水コンクリートクラック誘発目地材。
【請求項２】
請求項１に記載の土木用止水コンクリートクラック誘発目地材において、
前記保持材の矩形状の枠は、目地材本体と接する面に沿って連設する辺を有する
ことを特徴とする土木用止水コンクリートクラック誘発目地材。
【請求項３】
請求項１又は２に記載の土木用止水コンクリートクラック誘発目地材において、
前記調整欠損材本体の長手方向に配設された縦長の板は、調整欠損材本体の保持性を高めるための突起部を有する
ことを特徴とする土木用止水コンクリートクラック誘発目地材。
【発明の詳細な説明】
【技術分野】
【０００１】
本発明は、土木コンクリート構造物に発生する有害クラックを制御するためのクラック誘発目地の欠損材部分に関し、特に止水性能を要求される場合の土木用止水コンクリートクラック誘発目地材に関するものである。
【背景技術】
【０００２】
従来、土木コンクリート構造物にクラック誘発目地を設ける場合、あらかじめ型枠の誘発目地を設ける位置に、木または樹脂製で断面が台形状の目地棒を型枠に取り付け、釘止めしてからコンクリートを打設し、型枠脱形後に目地棒を抜き取り欠損部分をシーリング剤などで充填する。また、目地材本体に止水性を持たせ、目地棒の抜き取り、シーリング処理の必要がない誘発目地材もある（例えば、特許文献１参照）。
【特許文献１】特開２００２−１６１５４４号公報
【発明の開示】
【発明が解決しようとする課題】
【０００３】
しかしながら、目地棒を抜き取りシーリング剤などで充填して止水処理とする方式では、数年経過すると脱落の可能性があり止水性に問題があった。
シーリング処理の必要がない誘発目地材の止水材にはゴム製のものを使用し、ゴムとコンクリートを密着させることで止水性を確保するため、膨張、収縮を繰り返すコンクリート構造物では追従できず、止水性の維持に問題があった。
【０００４】
上記問題点に鑑み、本発明は、耐候性のある埋め殺しひび割れ誘発目地材本体に、半永久的に止水性のあるベントナイト材を素材とした止水性欠損材を組み合わせた土木用止水コンクリートクラック誘発目地材を提供することを課題とする。
【課題を解決するための手段】
【０００５】
上記課題を解決するために、本発明は、以下の特徴を有する。
請求項１に記載の本発明は、止水性調整欠損材と目地材本体とから構成され、止水性調整欠損材の一端面が目地材本体に嵌込み固定されている土木用止水コンクリートクラック誘発目地材において、前記止水性調整欠損材は、水と反応することでゲル化してコンクリート構造物との密着性を保持し、止水性を有するベントナイトを素材として、横断面前後に長い方形の縦角棒状に構成された調整欠損材本体と、前記調整欠損材本体の横断面前部を保持して、目地材本体に嵌め込み固定されている矩形状の枠と、矩形状の枠のうち調整欠損材本体の横断面前部に接する面と平行に配設され調整欠損材本体の横断面後部を保持する板と、この板と矩形状の枠を両端部に有してこの調整欠損材本体における左右の中心に当該調整欠損材本体の長手方向に配設された縦長の板とからなる保持材とから構成されることを特徴とする土木用止水コンクリートクラック誘発目地材である。
【０００６】
請求項２に記載の本発明は、請求項１に記載の土木用止水コンクリートクラック誘発目地材において、前記保持材の矩形状の枠は、目地材本体と接する面に沿って連設する辺を有することを特徴とする土木用止水コンクリートクラック誘発目地材である。
【０００７】
請求項３に記載の本発明は、請求項１又は２に記載の土木用止水コンクリートクラック誘発目地材において、前記調整欠損材本体の長手方向に配設された縦長の板は、調整欠損材本体の保持性を高めるための突起部を有することを特徴とする土木用止水コンクリートクラック誘発目地材である。
【発明の効果】
【０００８】
本発明により、耐候性のある埋め殺しひび割れ誘発目地材本体に、半永久的に止水性のあるベントナイト材を素材とした止水性欠損材を組み合わせることにより、コンクリート構造物にひび割れが入り、水が侵入しようとしても、ひび割れを塞いで止水し、さらに、コンクリート構造物が膨張、収縮を繰り返したとしても、コンクリート構造物の動きに追従して止水する土木用止水コンクリートクラック誘発目地材を提供することができる。
【発明を実施するための最良の形態】
【０００９】
以下に、本発明を実施するための最良の形態を図面に基づいて説明する。なお、以下の説明はこの発明の最良の形態の例であって、いわゆる当業者は特許請求の範囲内で、変更・修正をして他の実施形態をなすことは容易であり、以下の説明が特許請求の範囲を限定するものではない。
【００１０】
図１は、型枠用パネルに土木用止水コンクリートクラック誘発目地材を取付けた状態の斜視図である。図２は、図１の要部拡大図である。図３は、図２のＡ−Ａ線断面図である。図４は、図２のＢ−Ｂ線断面図である。図５は、土木用止水コンクリートクラック誘発目地材を型枠用パネルに取付けた分解斜視図である。図６は、Ｃ−Ｃ線矢視図である。図７は、Ｄ−Ｄ線断面図である。図８は、型枠用パネル脱型時における土木コンクリート構造物への土木用止水コンクリートクラック誘発目地材の埋込み状態を示す斜視図である。
【００１１】
本発明の土木用止水コンクリートクラック誘発目地材１は、止水性調整欠損材２と目地材本体３とから構成されている。
本発明の土木用止水コンクリートクラック誘発目地材１に用いる止水性調整欠損材２は、水と反応することでゲル化してコンクリート構造物との密着性を保持し、止水性を有するベントナイトを素材として、横断面前後に長い方形の縦角棒状に構成された調整欠損材本体２Ａと、前記調整欠損材本体２Ａを保持し、一端面が目地材本体３に嵌め込み固定されている保持材２Ｂとから構成される。保持材２Ｂは、樹脂等の耐腐食性を有するものが好適に用いられる。
【００１２】
ベントナイト材は、水と反応することでゲル化とする性質があるため、コンクリート構造物にひび割れが入り、水が侵入しようとしても、ひび割れを塞いで止水する。また、この止水性は半永久的であるので、コンクリート構造物が膨張、収縮を繰り返したとしても、水が侵入しようとした段階でコンクリート構造物の動きに追従することができる。
【００１３】
保持材２Ｂは、図３、４に示すように、調整欠損材本体２Ａの横断面前部に接して調整欠損材本体２Ａを保持する矩形状の枠２Ｂ１と、調整欠損材本体２Ａの横断面後部に接して、矩形状の枠のうち調整欠損材本体２Ａの横断前面部に接する面と平行に配設され調整欠損材本体２Ａを保持する板２Ｂ３と、この板２Ｂ３と矩形状の枠２Ｂ１を両端部に有してこの調整欠損材本体における左右の中心に当該調整欠損材本体の長手方向に配設された縦長の板２Ｂ２とからなる。
【００１４】
さらに、より強く調整欠損材本体を目地材本体に嵌め込み固定するために、矩形状の枠２Ｂ１は、目地材本体と接する面に沿って連設する辺２Ｂ４を有している。さらに、調整欠損材本体２Ａの長手方向に配設された縦長の板２Ｂ２には調整欠損材本体２Ａの保持性を高めるために、略Ｔ字形状の突起部２Ｂ５を有している。ここに示した保持材２Ｂの形状は本発明の一例であり、ベントナイト材からなる調整欠損材本体２Ａを保持して、この調整欠損材本体２Ａの一端面が目地材本体３に嵌め込み固定される形状のものであれば、上記形態以外のものでもよい。
【００１５】
目地材本体３は、目地本体３Ａと、共廻り防止ボルト３Ｂと、ワッシャー３Ｃと、蝶ナット３Ｄとから構成されている。
目地本体３Ａは、樹脂を素材として、止水性調整欠損材２の左右側面における前方部分に外方から当接する左右側面３Ａ１、３Ａ１と、左右側面３Ａ１、３Ａ１の後端に連設された外方に折曲げた屈曲辺３Ａ２、３Ａ２と、左右側面３Ａ１、３Ａ１の先端間にある左右方向へ伸縮するバネ部３Ａ３からなり、このバネ部３Ａ３は横断面Ｖ字状と逆Ｖ字状の折曲げが連続して構成され、このバネ部３Ａ３には上下方向に所定間隔で共廻り防止ボルト貫入用孔３Ａ３１が開設されている。
【００１６】
さらに、柔軟で耐候性に優れた素材の樹脂を素材として縦長の帯状に構成された前面縦帯３Ａ４が、目地本体３Ａのバネ部３Ａ３における前面に一体に添着されている。
この前面縦帯３Ａ４には、バネ部３Ａ３における共廻り防止ボルト貫入用孔３Ａ３１に対応する共廻り防止ボルト貫入用孔３Ａ４１が開設されている。従って、この前面縦帯３Ａ４は、バネ部の伸縮に応動することになる。
【００１７】
共廻り防止ボルト３Ｂは、樹脂を素材としてなるボルト本体３Ｂ１と、ボルト本体３Ｂ１の後端に当該ボルト本体の長手方向と直交する状態で略Ｔ字状に連結されたくさび状の縦枠３Ｂ２から構成され、かつこのくさび状の縦枠は平面から見てバネ部３Ａ３を構成するＶ字状折曲げに嵌着するよう構成されていると共に、ボルト本体３Ｂ１には所定の位置（目地本体と面一の位置）をもって折れ目３Ｂ３が刻設されている。
ワッシャー３Ｃと蝶ナット３Ｄとは、目地本体３Ａに嵌着したボルト本体３Ｂ１における折れ目３Ｂ３の刻設箇所より前方部分に着脱自在に装着するよう構成されている。
【００１８】
止水性調整欠損材２の前方部分は、目地本体３Ａにおける左右側面３Ａ１、３Ａ１内に、当該止水性調整欠損材２の矩形状の枠の前端面がバネ部３Ａ３に接する状態で嵌込み固定されている。さらに、矩形状の枠から連設する辺２Ｂ４がバネ部３Ａ３と左右側面３Ａ１、３Ａ１との間に押挿されている。これにより、より確実に止水性調整欠損材２を目地本体内に嵌め込み固定することができる。
【００１９】
土木用止水コンクリートクラック誘発目地材を取付ける型枠用パネル４は、正面方形に構成された公知のものであるが、目地本体３Ａにおけるバネ部３Ａ３の共廻り防止ボルト貫入用孔３Ａ３１に対応するよう共廻り防止ボルト貫入用孔４Ａが開設されている。
【００２０】
次に、土木用止水コンクリートクラック誘発目地材の使用方法について説明する。
まず、型枠用パネル４に所定間隔で共廻り防止ボルト貫入用孔４Ａを開け、あらかじめ止水性調整欠損材２、所定の位置（目地本体と面一の位置）に折れ目の入った共廻り防止ボルト３Ｂにより所定間隔で固定された目地本体３Ａを、ワッシャー３Ｃで締められる蝶ナット３Ｄで型枠用パネルに固定し、コンクリート５を打設する。
打設後は、図８に示すように、ワッシャー、蝶ナットを取外してから型枠用パネル４を脱型し、共廻り防止ボルト３Ｂの目地本体より出ている部分を取り除いて完成する。
【図面の簡単な説明】
【００２１】
【図１】型枠用パネルに土木用止水コンクリートクラック誘発目地材を取付けた状態の斜視図である。
【図２】図１の要部拡大図である。
【図３】図２のＡ−Ａ線断面図である。
【図４】図２のＢ−Ｂ線断面図である。
【図５】土木用止水コンクリートクラック誘発目地材を型枠用パネルに取付けた分解斜視図である。
【図６】図５のＣ−Ｃ線矢視図である。
【図７】図６のＤ−Ｄ線断面図である。
【図８】型枠用パネル脱型時における土木コンクリート構造物への土木用止水コンクリートクラック誘発目地材の埋込み状態を示す斜視図である。
【符号の説明】
【００２２】
１  土木用止水コンクリートクラック誘発目地材
２  止水性調整欠損材
３  目地材本体
４  型枠用パネル
５  コンクリート
【図１】
0004764736.tif 000002
【図２】
0004764736.tif 000003
【図３】
0004764736.tif 000004
【図４】
0004764736.tif 000005
【図５】
0004764736.tif 000006
【図６】
0004764736.tif 000007
【図７】
0004764736.tif 000008
【図８】
0004764736.tif 000009